(57)【要約】【課題】負荷（通信量）を分散させることのできるフェムトセル基地局、負荷分散方法、および負荷分散プログラムを提供する。【解決手段】それぞれ異なる周波数で移動局と通信可能な複数の本体装置２０Ａ，２０Ｂを備え、各本体装置２０Ａ，２０Ｂは、他の本体装置の送信状態を監視する監視部３０と、監視部３０により監視された他の本体装置の送信状態に基づいて、当該本体装置の所定の設定値を制御する設定値制御部４０と、を備える。【選択図】図２
2014093557.tif 000002
【特許請求の範囲】
【請求項１】
それぞれ異なる周波数で移動局と通信可能な複数の本体装置を備え、
各前記本体装置は、
他の前記本体装置の送信状態を監視する監視部と、
前記監視部により監視された前記他の本体装置の送信状態に基づいて、該前記本体装置の所定の設定値を制御する設定値制御部と、を備える、
フェムトセル基地局。
【請求項２】
前記設定値制御部は、前記監視部により前記他の本体装置の送信の停止が検出されたときに、前記所定の設定値の値を増やす、
請求項１に記載のフェムトセル基地局。
【請求項３】
前記設定値制御部は、前記監視部により前記他の本体装置の送信の再開が検出されたときに、前記所定の設定値を元の値に戻す、
請求項２に記載のフェムトセル基地局。
【請求項４】
各前記本体装置は、前記移動局から送信される接続要求に対して応答を送信する接続応答部をさらに備え、
前記接続応答部は、前記監視部により前記他の本体装置の送信の再開が検出されたときに、接続要求の送信先を前記他の本体装置に変更させる応答を送信する、
請求項２または３に記載のフェムトセル基地局。
【請求項５】
各前記本体装置は、前記移動局から送信される通話要求に対して応答を送信する通話応答部をさらに備え、
前記通話応答部は、通話中の移動局の数が所定数に達したときに、通話要求の送信先を他の前記本体装置に変更させる応答を送信する、
請求項１ないし４のいずれか一項に記載のフェムトセル基地局。
【請求項６】
各前記本体装置は、他の前記本体装置が送信を停止する時間帯に基づいて、該前記本体装置が送信を停止する時間帯を設定する送信停止設定部をさらに備える、
請求項１ないし５のいずれか一項に記載のフェムトセル基地局。
【請求項７】
各前記本体装置は、前記監視部により監視された他の前記本体装置の送信状態に基づいて、警報を出力する警報出力部をさらに備える、
請求項１ないし６のいずれか一項に記載のフェムトセル基地局。
【請求項８】
それぞれ異なる周波数で移動局と通信可能な複数の本体装置を備えるフェムトセル基地局の各前記本体装置が、他の前記本体装置の送信状態を監視し、
各前記本体装置が、監視された前記他の本体装置の送信状態に基づいて、該前記本体装置の所定の設定値を制御する、
負荷分散方法。
【請求項９】
それぞれ異なる周波数で移動局と通信可能な複数の本体装置を備えるフェムトセル基地局の各前記本体装置が、他の前記本体装置の送信状態を監視するステップと、
各前記本体装置が、監視された前記他の本体装置の送信状態に基づいて、該前記本体装置の所定の設定値を制御するステップと、を備える、
負荷分散プログラム。
【発明の詳細な説明】
【技術分野】
【０００１】
本発明に係るいくつかの態様は、例えば、それぞれ異なる周波数で移動局と通信可能な複数の本体装置を備えるフェムトセル基地局、通信品質確認方法、および通信品質確認プログラムに関する。
【背景技術】
【０００２】
従来、フェムトセル基地局として、公衆回線のバックホール回線を用いてインターネット網に有線で接続されるリレーフェムト基地局を備える無線システムが知られている（例えば、特許文献１参照）。
【先行技術文献】
【特許文献】
【０００３】
【特許文献１】特開２０１２−１４７０５１号公報
【発明の概要】
【発明が解決しようとする課題】
【０００４】
ところで、従来のフェムトセル基地局は、通信機器が故障したり、他の基地局との間で通信を開始したりすると、移動局との間の通信が停止し、移動局にサービスを提供できないおそれがあった。
【０００５】
この問題を解決するために、複数のフェムトセル基地局を設置し、一のフェムトセル基地局が移動局との通信を停止しても、他のフェムトセル基地局が移動局との間で通信を継続してサービスを提供する方法が考えられる。
【０００６】
しかしながら、この方法では、通信を停止していた一のフェムトセル基地局が通信を再開しても、移動局は他のフェムトセル基地局との通信を続けるため、一のフェムトセル基地局と他のフェムトセル基地局との間で負荷（通信量）の偏りが生じてしまう場合があった。
【０００７】
本発明のいくつかの態様は前述の問題に鑑みてなされたものであり、負荷（通信量）を分散させることのできるフェムトセル基地局、負荷分散方法、および負荷分散プログラムを提供することを目的の１つとする。
【課題を解決するための手段】
【０００８】
本発明に係るフェムトセル基地局は、それぞれ異なる周波数で移動局と通信可能な複数の本体装置を備え、各本体装置は、他の本体装置の送信状態を監視する監視部と、監視部により監視された他の本体装置の送信状態に基づいて、当該本体装置の所定の設定値を制御する設定値制御部と、を備える。
【０００９】
好ましくは、設定値制御部は、監視部により他の本体装置の送信の停止が検出されたときに、前述の所定の設定値の値を増やす。
【００１０】
好ましくは、設定値制御部は、監視部により他の本体装置の送信の再開が検出されたときに、前述の所定の設定値を元の値に戻す。
【００１１】
好ましくは、各本体装置は、移動局から送信される接続要求に対して応答を送信する接続応答部をさらに備え、接続応答部は、監視部により他の本体装置の送信の再開が検出されたときに、接続要求の送信先を他の本体装置に変更させる応答を送信する。
【００１２】
好ましくは、各本体装置は、移動局から送信される通話要求に対して応答を送信する通話応答部をさらに備え、通話応答部は、通話中の移動局の数が所定数に達したときに、通話要求の送信先を他の本体装置に変更させる応答を送信する。
【００１３】
好ましくは、各本体装置は、他の本体装置が送信を停止する時間帯に基づいて、当該本体装置が送信を停止する時間帯を設定する送信停止設定部をさらに備える。
【００１４】
好ましくは、各本体装置は、監視部により監視された他の本体装置の送信状態に基づいて、警報を出力する警報出力部をさらに備える。
【００１５】
また、本発明に係る負荷分散方法は、それぞれ異なる周波数で移動局と通信可能な複数の本体装置を備えるフェムトセル基地局の各本体装置が、他の本体装置の送信状態を監視し、各本体装置が、監視された他の本体装置の送信状態に基づいて、当該本体装置の所定の設定値を制御する。
【００１６】
また、本発明に係る負荷分散プログラムは、それぞれ異なる周波数で移動局と通信可能な複数の本体装置を備えるフェムトセル基地局の各本体装置が、他の本体装置の送信状態を監視するステップと、各本体装置が、監視された他の本体装置の送信状態に基づいて、当該本体装置の所定の設定値を制御するステップと、を備える。
【発明の効果】
【００１７】
本発明のフェムトセル基地局、負荷分散方法、および負荷分散プログラムによれば、監視部により監視された他の本体装置の送信状態に基づいて、自己の本体装置の所定の設定値を制御することにより、他の本体装置の送信状態に応じて自己の通信能力（キャパシティまたは通信容量）を柔軟に（臨機応変に）変更することが可能となる。これにより、フェムトセル基地局は、複数の本体装置のうちの１つが送信を停止したときや、送信を停止していた本体装置が送信を再開したときでも、複数の本体装置の間で負荷（通信量）を分散することができる。
【図面の簡単な説明】
【００１８】
【図１】一実施形態における全体ネットワークの概略構成を説明する構成図である。
【図２】図１に示したフェムトセル基地局の構成を説明するブロック図である。
【図３】図２に示した本体装置が自己の所定の設定値を制御する動作を説明するフローチャートである。
【図４】図２に示した本体装置が通話要求に対して応答を送信する動作を説明するフローチャートである。
【図５】図２に示した本体装置が送信を停止する時間帯を設定する動作を説明するフローチャートである。
【発明を実施するための形態】
【００１９】
以下に本発明の実施の形態を説明する。以下の図面の記載において、同一または類似の部分には同一または類似の符号で表している。但し、図面は模式的なものである。したがって、具体的な寸法などは以下の説明を照らし合わせて判断するべきものである。また、図面相互間においても互いの寸法の関係や比率が異なる部分が含まれていることは勿論である。なお、以下の説明において、図面の上側を「上」、下側を「下」、左側を「左」、右側を「右」という。
【００２０】
図１ないし図５は、本発明に係るフェムトセル基地局、負荷分散方法、および負荷分散プログラムの一実施形態を示すためのものである。図１は、一実施形態における全体ネットワークＷＮの概略構成を説明する構成図である。図１に示すように、全体ネットワークＷＮは、移動局Ｍ１と、フェムトセル基地局１０と、インターネット網ＩＮと、ゲートウェイ装置ＧＷと、コアネットワークＣＮと、を備える。
【００２１】
移動局Ｍ１は、例えば、スマートフォンなどの携帯電話機である。移動局Ｍ１は、フェムトセル基地局１０との間で、所定の通信方式、例えば、符号分割多重接続方式により、無線通信を行う。
【００２２】
フェムトセル基地局１０は、例えば、屋内や地下などに設置され、ブロードバンド回線ＢＬを介してインターネット網ＩＮに接続する。ブロードバンド回線ＢＬは、例えば、ｘＤＳＬ（Digital Subscriber Line）、同軸ケーブル、光ファイバーなどの高速データ回線である。フェムトセル基地局１０は、移動局Ｍ１がインターネット網ＩＮを介して通話またはデータ通信するのを中継する。
【００２３】
インターネット網ＩＮは、ＴＣＰ／ＩＰプロトコルに準拠したネットワークである。
【００２４】
ゲートウェイ装置ＧＷは、例えば、セキュリティゲートウェイやパケットデータゲートウェイである。ゲートウェイ装置ＧＷは、インターネット網５０とコアネットワークＣＮとの間の通信を中継する。
【００２５】
コアネットワークＣＮは、移動通信事業者が運用、管理するネットワークである。コアネットワークＣＮには、例えば、移動局Ｍ１を位置登録するためのロケーションレジスタＬＲと、管理サーバＳと、が接続される。
【００２６】
図２は、図１に示したフェムトセル基地局１０の構成を説明するブロック図である。図２に示すように、フェムトセル基地局１０は、アンテナ１１と、混合部１２と、２つの本体装置２０Ａ，２０Ｂと、を備える。
【００２７】
アンテナ１１は、移動局Ｍ１との間で電波（電磁波）を送受信する。アンテナ１１は、複数の周波数帯の電波を放射（輻射）および受波可能である。
【００２８】
混合部１２は、本体装置２０Ａから入力される信号、および本体装置２０Ｂから入力される信号をアンテナ１１に出力する。本体装置２０Ａから入力される信号と本体装置２０Ｂから入力される信号とは、互いに異なる周波数帯の信号である。また、混合部１２は、アンテナ１１が受波（受信）した信号を本体装置２０Ａおよび本体装置２０Ｂに出力する。混合部１２は、例えば、混合器などで構成可能である。
【００２９】
本体装置２０Ａ，２０Ｂは、それぞれ、無線通信部２１と、ネットワーク通信部２２と、制御部２３と、を備える。
【００３０】
無線通信部２１は、所定の周波数帯で混合部１２およびアンテナ１１を介して移動局Ｍ１との間で通信（送受信）可能である。これにより、本体装置２０Ａ，２０Ｂは、それぞれ、アンテナ１１を介してフェムト基地局１０の通信エリア内に位置する移動局と通信することができるので、同時に通信可能な移動局の数を増加させることができる。所定の周波数帯は、本体装置２０Ａと本体装置２０Ｂとの間で異なる周波数帯が割り当てられる。
【００３１】
ネットワーク通信部２２は、ＵＤＰ（User Datagram Protocol）などの所定の通信プロトコルに従い、図１に示したブロードバンド回線ＢＬを介して通信するためのものである。
【００３２】
制御部２３は、無線通信部２１、ネットワーク通信部２２などの各本体装置２０Ａ，２０Ｂの各部を制御するためのものである。制御部２３は、例えば、ＣＰＵ、ＲＯＭやＲＡＭなどのメモリ、入出力インターフェースなどで構成することが可能である。また、制御部２３は、その機能構成として、監視部３０と、設定値制御部４０と、接続応答部５０と、通話応答部６０と、送信停止設定部７０と、警報出力部８０と、を備える。
【００３３】
監視部３０は、他の本体装置の送信信号に基づいて、他の本体装置の送信状態を監視する。例えば、本体装置２０Ａの監視部３０は、本体装置２０Ｂの送信信号に基づいて、本体装置２０Ｂの送信状態を監視する。他の本体装置の送信信号は、混合部１２を介して入力される。監視部３０は、他の本体装置の送信状態を監視することで、例えば、他の本体装置の送信の開始、停止、および停止後の再開などを検出することができる。
【００３４】
設定値制御部４０は、監視部３０により監視された他の本体装置の送信状態に基づいて、自己の本体装置が有する所定の設定値（パラメータ）を制御する。例えば、本体装置２０Ａの設定値制御部４０は、本体装置２０Ｂの送信状態に基づいて、本体装置２０Ａが有する所定の設定値を変更する。所定の設定値は、例えば、在圏数の上限値（最大値）、同時通話数の上限値（最大値）などであり、あらかじめ初期値が設定される。
【００３５】
通常、各本体装置２０Ａ，２０Ｂの所定の設定値は、不測の事態に備えるためや安定して稼働させるために、通信能力（キャパシティまたは通信容量）の限度よりもかなり低い値が初期値として設定される。ここで、複数の本体装置のうち１つが送信を停止した場合、送信を停止した本体装置と通信していた移動局は残りの本体装置と通信しようとする。この場合、当該残りの本体装置が、自己の設定値を変更して通信能力を上げることで、フェムトセル基地局１０と通信可能な移動局の数を維持、または減少を抑制することが可能となる。また、送信を停止していた本体装置が送信を再開した場合でも、移動局は当該残りの本体装置と通信し続ける。この場合、当該残りの本体装置が自己の設定値を変更して通信能力を下げることで、負荷が高くなっていた残りの本体装置の負荷（通信量）を低減するとともに、送信を再開した本体装置と移動局とが通信することで、負荷（通信量）の偏りを解消することが可能となる。よって、監視部３０により監視された他の本体装置の送信状態に基づいて、自己の本体装置の所定の設定値を制御することにより、他の本体装置の送信状態に応じて自己の通信能力（キャパシティまたは通信容量）を柔軟に（臨機応変に）変更することが可能となる。
【００３６】
具体的には、設定値制御部４０は、監視部３０により監視された他の本体装置の送信の停止が検出されたときに、所定の設定値の値を増やす。例えば、本体装置２０Ａの設定値制御部４０は、本体装置２０Ｂの送信の停止が検出されたときに、本体装置２０Ａの在圏数の上限値（最大値）および同時通話数の上限値（最大値）の少なくとも一方の値を増やす。これにより、本体装置２０Ａは一時的に自己の通信能力（キャパシティまたは通信容量）を上げることができ、フェムトセル基地局１０は、本体装置２０Ｂが送信を停止している間、停止前の本体装置２０Ｂの負荷を本体装置２０Ａに分散させることができる。
【００３７】
また、設定値制御部４０は、監視部３０により監視された他の本体装置の送信の再開が検出されたときに、所定の設定値の値を元に戻す。例えば、本体装置２０Ａの設定値制御部４０は、送信を停止していた本体装置２０Ｂの送信の再開が検出されたときに、増やしていた本体装置２０Ａの在圏数の上限値（最大値）および同時通話数の上限値（最大値）の少なくとも一方を元の値、すなわち、初期値に戻す。これにより、フェムトセル基地局１０は、一時的に増加していた本体装置２０Ａの負荷を、本体装置２０Ｂが送信を再開した後、本体装置２０Ｂに分散させることができる。
【００３８】
接続応答部５０は、移動局Ｍ１から送信される接続要求に対して応答を送信する。例えば、移動局Ｍ１から無線通信部２１を介して接続要求の信号を受信した本体装置１０Ａの接続応答部５０は、無線通信部２１を介して応答信号を送信する。
【００３９】
具体的には、接続応答部５０は、監視部３０により監視された他の本体装置の送信の再開が検出されたときに、接続要求の送信先を当該他の本体装置に変更（リダイレクト）させる応答を送信する。例えば、本体装置２０Ａの接続応答部５０は、送信を停止していた本体装置２０Ｂの送信の再開が検出されたときに、移動局Ｍ１から送信された接続要求を拒絶（拒否）し、接続要求の送信先を本体装置２０Ｂに変更（リダイレクト）させる応答を送信する。これにより、フェムトセル基地局１０は、一時的に負荷が高くなっていた本体装置２０Ａから送信を再開した本体装置２０Ｂへ、負荷の分散を促進することができる。
【００４０】
なお、監視部３０により監視された他の本体装置の送信の再開が検出されたときに、先に、自己の本体装置と接続中の移動局に対して接続を切断するようにしてもよい。この場合、接続を切断された移動局は、再び当該本体装置に接続要求を送信すると考えられるが、接続応答部５０の応答により、接続先を他の本体装置に変更（リダイレクト）される。これにより、さらにスムーズ（円滑）に負荷の分散を促進することができる。
【００４１】
また、本実施形態では、接続要求の送信先を当該他の本体装置に変更（リダイレクト）させる応答を送信するか否かを接続応答部５０自身が判定する例を示したが、これに限定されない。例えば、各本体装置２０Ａ，２０Ｂは、ネットワーク通信部２２を介して自己の本体装置と接続中の移動局の数をコアネットワークＣＮの管理サーバＳに送信するようにしてもよい。この場合、管理サーバＳは、各本体装置２０Ａ，２０Ｂに接続中の移動局の数に基づいて、例えば、接続中の移動局の数が多い本体装置に、移動局Ｍ１から送信された接続要求を拒絶（拒否）する指示信号を送信する。当該指示信号を受信した本体装置の接続応答部５０は、他の本体装置の送信の再開が検出されたか否かにかかわらず、移動局Ｍ１から送信された接続要求を拒絶（拒否）する応答を送信する。この方法によっても、相対的に負荷が高い本体装置から相対的に負荷の低い本体装置へ、負荷の分散を促進することができる。
【００４２】
通話応答部６０は、移動局Ｍ１から送信される接続要求に対して応答を送信する。例えば、移動局Ｍ１から無線通信部２１を介して通話要求の信号を受信した本体装置１０Ａの通話応答部６０は、無線通信部２１を介して応答信号を送信する。
【００４３】
具体的には、通話応答部６０は、通話中の移動局の数が所定数に達したときに、通話要求の送信先を他の本体装置に変更（リダイレクト）させる応答を送信する。例えば、本体装置２０Ａの通話応答部６０は、通話中の移動局の数が同時通話数の上限値（最大値）に達したときに、移動局Ｍ１から送信された通話要求を拒絶（拒否）し、通話要求の送信先を本体装置２０Ｂに変更（リダイレクト）させる応答を送信する。これにより、フェムトセル基地局１０は、本体装置２０Ａのキャパシティオーバーを防止することができるとともに、同時通話数の上限値（最大値）に達していた本体装置２０Ａから本体装置２０Ｂへ、通話負荷の分散を促進することができる。
【００４４】
送信停止設定部７０は、他の本体装置が送信を停止する時間帯に基づいて、自己の本体装置が送信を停止する時間帯を設定する。他の本体装置が送信を停止する時間帯は、他の本体装置の送信停止設定部７０により、例えば、ネットワーク通信部２２を介してコアネットワークＣＮの管理サーバＳに送信される。管理サーバＳは、各本体装置２０Ａ，２０Ｂの送信停止設定部７０から送信された時間帯を受信し、一の本体装置が送信を停止する時間帯を他の装置の送信停止設定部７０に送信するとともに、他の本体装置が送信を停止する時間帯を一の装置の送信停止設定部７０に送信する。
【００４５】
ここで、各本体装置２０Ａ，２０Ｂは、例えば、フェムトセル基地局１０の周辺基地局から周辺セル情報をサーチして受信する周辺基地局情報サーチ処理を定期的に行っており、周辺基地局情報サーチ処理の間は、移動局Ｍ１との通信（送受信）を停止する必要がある。このため、各本体装置２０Ａ，２０Ｂは、あらかじめ定めた時間帯に送信を停止するように設定される。このため、本体装置２０Ａが送信を停止する時間帯と、本体装置２０Ａが送信を停止する時間帯とが重複すると、移動局Ｍ１はフェムトセル基地局１０と通信できない時間帯が発生してしまう。よって、他の本体装置が送信を停止する時間帯に基づいて、自己の本体装置が送信を停止する時間帯を設定することにより、本体装置２０Ａが送信を停止する時間帯と、本体装置２０Ａが送信を停止する時間帯との重複を回避することができ、フェムトセル基地局１０がサービスを提供し続けることができる。
【００４６】
警報出力部８０は、監視部３０により監視された他の本体装置の送信状態に基づいて、警報を出力する。例えば、本体装置２０Ａの警報出力部８０は、監視部３０により監視された本体装置２０Ｂの送信状態に基づいて、警報を出力する。警報を出力する手段としては、例えば、警報ランプを点灯したり、スピーカなどの音声出力手段から警報音を出力したり、ディスプレイなどの表示手段に警報メッセージを出力したりする。または、警報出力部８０は、コアネットワークＣＮに接続された管理サーバＳに警報データを送信するようにしてもよい。この場合、管理サーバＳはフェムトセル基地局１０の送信状態を管理するサーバとして機能する。これにより、フェムトセル基地局１０が備える複数の本体装置２０Ａ，２０Ｂのうちの少なくとも１つが送信を停止したときに、フェムトセル基地局１０を管理、運用する通信事業者に知らせることができ、例えば、本体装置の故障などに起因して送信が停止した場合に、通信事業者は迅速に対応することができる。
【００４７】
フェムトセル基地局１０には、商用電源（図示省略）から電力が供給される。しかし、フェムトセル基地局１０は商用電源から電力が供給される場合に限定されず、例えば、フェムトセル基地局１０がキャパシタや二次電池などの蓄電装置を備えるようにしてもよい。
【００４８】
本実施形態では、監視部３０、設定値制御部４０、接続応答部５０、通話応答部６０、送信停止設定部７０、および警報出力部８０が、制御部２３の一機能である例を示したが、これに限定されない。例えば、各本体装置２０Ａ，２０Ｂが、監視部３０、設定値制御部４０、接続応答部５０、通話応答部６０、送信停止設定部７０、および警報出力部８０のうちの少なくとも１つをさらに備えるようにしてもよい。
【００４９】
次に、フェムトセル基地局１０の動作について説明する。なお、前述したように、本体装置１０Ａと本体装置１０Ｂとは、送受信する周波数帯が異なる点を除き、同一の構成を備えており、その動作についても、本体装置１０Ａと本体装置１０Ｂとを入れ換えることで同一である。よって、以下の説明では、本体装置１０Ａの説明をもって本体装置１０Ｂの説明を省略する。
【００５０】
図３は、図２に示した本体装置１０Ａが自己の所定の設定値を制御する動作を説明するフローチャートである。フェムトセル基地局１０の本体装置２０Ａは、例えば、起動時に、制御部２３が図３に示す設定値制御処理Ｓ１１０を実行する。
【００５１】
最初に、監視部３０は、他の本体装置２０Ｂの送信状態の監視を開始する（Ｓ１１１）。次に、監視部３０は、混合部１２および無線通信部２１を介して入力される本体装置２０Ｂの送信信号に基づいて、他の本体装置２０Ｂが送信を停止したか否かを判定する（Ｓ１１２）。
【００５２】
Ｓ１１２の判定の結果、他の本体装置２０Ｂの送信が停止していない、すなわち、他の本体装置２０Ｂが送信している場合、監視部３０は、本体装置２０Ｂの送信の停止を検出するまで、Ｓ１１２のステップを繰り返す。
【００５３】
一方、Ｓ１１２の判定の結果、他の本体装置２０Ｂが送信を停止している場合、本体装置１０Ａは、自己の設定値を変更して通信能力（キャパシティ）を上げなければ、キャパシティオーバーに陥るおそれがある。よって、設定値制御部４０は、本体装置２０Ａの所定の設定値、例えば、例えば、在圏数の上限値（最大値）や同時通話数の上限値（最大値）の値を増やす（Ｓ１１３）。また、警報出力部８０は警報を出力する（Ｓ１１４）。
【００５４】
次に、監視部３０は、混合部１２および無線通信部２１を介して入力される本体装置２０Ｂの送信信号に基づいて、他の本体装置２０Ｂが送信を再開したか否かを判定する（Ｓ１１５）。
【００５５】
Ｓ１１５の判定の結果、他の本体装置２０Ｂが送信を再開していない、すなわち、他の本体装置２０Ｂが送信を停止したままである場合、監視部３０は、他の本体装置２０Ｂが送信を再開するまでＳ１１５のステップを繰り返す。
【００５６】
一方、Ｓ１１５の判定の結果、他の本体装置２０Ｂが送信を再開した場合、本体装置１０Ａは、自己の設定値を変更して通信能力（キャパシティ）を下げなければ、負荷（通信量）が高いままになり、送信を再開した他の本体装置２０Ｂとの間で負荷の偏りが生じるおそれがある。よって、設定値制御部４０は、増やしていた本体装置２０Ａの所定の設定値、在圏数の上限値（最大値）や同時通話数の上限値（最大値）を元の値に戻す（Ｓ１１６）。
【００５７】
なお、本体装置２０Ｂが送信を再開している場合には、本体装置２０Ｂの送信が停止していた原因（理由）は解消したものと考えられる。よって、警報出力部８０は、Ｓ１１４において出力した警報を停止するようにしてもよい。
【００５８】
また、接続応答部５０は、移動局Ｍ１から送信された接続要求を拒絶（拒否）し、接続要求の送信先を他の本体装置２０Ｂに変更（リダイレクト）させる応答を送信する（Ｓ１１７）。その後、制御部２３は、設定値制御処理Ｓ１１０を終了する。
【００５９】
本実施形態では、フェムトセル基地局１０の起動時に設定値制御処理Ｓ１１０を実行するようにしたが、これに限定されない。制御部２３は、例えば、所定の間隔で定期的に、または、不定期に、設定値制御処理Ｓ１１０を実行するようにしてもよいし、設定値制御処理Ｓ１１０を終了せずに、本体装置２０Ａの作動中は常時実行するようにしてもよい。
【００６０】
また、本実施形態では、Ｓ１１２の判定の結果、本体装置２０Ｂが送信を停止していた場合、Ｓ１１３において所定の設定値の値を増やし、Ｓ１１４において警報を出力するようにしたが、これに限定されない。制御部２３は、Ｓ１１３およびＳ１１４のいずれか一方のみを行うようにしてもよい。
【００６１】
さらに、本実施形態では、Ｓ１１５の判定の結果、本体装置２０Ｂの送信が再開している場合、Ｓ１１６において所定の設定値を元の値を戻し、Ｓ１１７において接続要求の送信先を他の本体装置２０Ｂに変更（リダイレクト）させる応答を送信するようにしたが、これに限定されない。制御部２３は、Ｓ１１６およびＳ１１７のいずれか一方のみを行うようにしてもよい。
【００６２】
図４は、図２に示した本体装置１０Ａが通話要求に対して応答を送信する動作を説明するフローチャートである。フェムトセル基地局１０の本体装置２０Ａは、例えば、起動時に、制御部２３が図４に示す通話要求応答処理Ｓ１２０を実行する。
【００６３】
最初に、通話応答部６０は、本体装置２０Ａを介して通話している（通話中の）移動局の数が所定数、例えば、同時通話数の上限値（最大値）、に達したか否かを判定する（Ｓ１２１）。
【００６４】
Ｓ１２１の判定の結果、通話中の移動局の数が所定数に達した場合、通話応答部６０は、移動局Ｍ１から送信された通話要求を拒絶（拒否）し、通話要求の送信先を他の本体装置２０Ｂに変更（リダイレクト）させる応答を送信する（Ｓ１２２）。
【００６５】
一方、Ｓ１２１の判定の結果、通話中の移動局の数が所定数に達していない場合、通話応答部６０は、通話要求を許可する応答を送信する（Ｓ１２３）。
【００６６】
Ｓ１２２またはＳ１２３の終了後、通話応答部６０は、本体装置１０Ａが停止するまでＳ１２１〜Ｓ１２３のステップを繰り返す。
【００６７】
図５は、図２に示した本体装置１０Ａが送信を停止する時間帯を設定する動作を説明するフローチャートである。フェムトセル基地局１０の本体装置２０Ａは、例えば、起動時に、制御部２３が図５に示す送信停止設定処理Ｓ１３０を実行する。
【００６８】
最初に、送信停止設定部７０は、本体装置２０Ａが送信を停止する時間帯の初期値を設定する（Ｓ１３１）。初期値は、例えば、移動局Ｍ１との通信が少ない時間帯から選択される。
【００６９】
次に、送信停止設定部７０は、ネットワーク通信部２２を介して、他の本体装置２０Ｂが送信を停止する時間帯を管理サーバＳから受信する（Ｓ１３２）。
【００７０】
次に、送信停止設定部７０は、Ｓ１３１において設定した初期値と、他の本体装置２０Ｂが送信を停止する時間帯とが重複するか否かを判定する（Ｓ１３３）。
【００７１】
Ｓ１３３の判定の結果、初期値と、他の本体装置２０Ｂが送信を停止する時間帯とが重複する場合、送信停止設定部７０は、他の本体装置２０Ｂが送信を停止する時間帯に基づいて、本体装置２０Ａが送信を停止する時間帯を設定する（Ｓ１３４）。送信停止設定部７０は、例えば、他の本体装置２０Ｂが送信を停止する時間帯から所定の時間間隔を空けて、本体装置２０Ａが送信を停止する時間帯を設定する。
【００７２】
一方、Ｓ１３３の判定の結果、重複しない場合、送信停止設定部７０は、何もしない。これにより、本体装置２０Ａが送信を停止する時間帯として、Ｓ１３１において設定した初期値が設定される。
【００７３】
次に、送信停止設定部７０は、ネットワーク通信部２２を介して、本体装置２０Ａが送信を停止する時間帯を管理サーバＳに送信し（Ｓ１３５）、送信停止設定処理Ｓ１３０を終了する。
【００７４】
本実施形態では、フェムトセル基地局１０が２つの本体装置２０Ａ，２０Ｂを備える例を示したが、これに限定されない。フェムトセル基地局１０は複数の本体装置を備えていればよく、フェムトセル基地局１０は３つ以上の複数の本体装置を備えるようにしてもよい。
【００７５】
このように、本実施形態によれば、監視部３０により監視された他の本体装置の送信状態に基づいて、自己の本体装置の所定の設定値を制御することにより、他の本体装置の送信状態に応じて自己の通信能力（キャパシティまたは通信容量）を柔軟に（臨機応変に）変更することが可能となる。これにより、フェムトセル基地局１０は、複数の本体装置２０Ａ，２０Ｂのうちの１つが送信を停止したときや、送信を停止していた本体装置が送信を再開したときでも、複数の本体装置２０Ａ，２０Ｂの間で負荷（通信量）を分散することができる。
【００７６】
なお、前述した実施形態の構成は、組み合わせたり、あるいは一部の構成部分を入れ替えたりしたりしてもよい。また、本発明の構成は前述した各実施形態のみに限定されるものではなく、本発明の要旨を逸脱しない範囲内において種々変更を加えてもよい。
【符号の説明】
【００７７】
１０…フェムトセル基地局
１１…アンテナ
１２…混合部
２０Ａ，２０Ｂ…本体装置
２１…無線通信部
２２…ネットワーク通信部
２３…制御部
３０…監視部
４０…設定値制御部
５０…接続応答部
６０…通話応答部
５０…送信停止設定部
８０…警報出力部
ＢＬ…ブロードバンド回線
ＣＮ…コアネットワーク
ＬＲ…ロケーションレジスタ
ＧＷ…ゲートウェイ装置
ＩＮ…インターネット網
Ｍ１…移動局
ＲＣ…無線ネットワーク制御局
Ｓ…管理サーバ
Ｓ１１０…設定値制御処理
Ｓ１２０…通話要求応答処理
Ｓ１３０…送信停止設定処理
【図１】
2014093557.tif 000003
【図２】
2014093557.tif 000004
【図３】
2014093557.tif 000005
【図４】
2014093557.tif 000006
【図５】
2014093557.tif 000007